(57)【要約】【課題】格納部の扉体格納空間に堆積した底質をダイバーが潜って排出する必要がないようにする。【解決手段】格納部２に形成した扉体格納空間２ａに格納された扉体１を起立させて港口を塞ぐ起伏ゲート式防波堤である。満潮時、満潮時の水位と同程度となるようにタンク内に海水を取水する海水タンク３と、一端が海水タンク３内の下方に開口し、他端が海水タンク３の上端を経て扉体格納空間２ａの床面２ａａと扉体１の反海域側の面１ｂとの間の扉体格納空間２ａ内に開口した送水配管４と、一端が送水配管４の他端側開口４ｂと対向するように扉体格納空間２ａ内に開口し、他端が海域６に開口した排水配管５を備える。送水配管４には常時は閉状態の送水弁７を、排水配管５には扉体格納空間２ａから海域６側に海水が流出する方向のみ許容する逆止弁８を設ける。【効果】ダイバーが潜らなくても、潮位の変動によって扉体格納空間に堆積した底質を排出できる。【選択図】図１
2014173249.tif 000002
【特許請求の範囲】
【請求項１】
格納部に形成された扉体格納空間に格納されている倒伏状態の扉体を起立させて港口を塞ぐ起伏ゲート式防波堤であって、
満潮時、タンク内の水位が満潮時の水位と同程度となるようにタンク内に海水を取水する海水タンクと、
一端が前記海水タンク内の下方に開口し、他端が前記海水タンクの上端を経て前記扉体格納空間の床面と前記倒伏状態にある扉体の反海域側の面との間の扉体格納空間内に開口した送水配管と、
一端が前記送水配管の他端側開口と対向するように前記扉体格納空間内に開口し、他端が海域に開口した排水配管と、
を備え、
前記送水配管には、常時は閉状態で潮位が低下した時に開放する送水弁を、前記排水配管には、扉体格納空間から海域側に海水が流出する方向のみ許容する逆止弁を設けたことを特徴とする起伏ゲート式防波堤。
【請求項２】
倒伏状態にある扉体の反海域側の面と、前記送水配管の他端側開口との間に、海域から前記扉体格納空間内に落下してくる底質は通過する一方、前記扉体格納空間の床面に堆積した底質が倒伏状態にある扉体側への移動は抑制する半透過部材を設けたことを特徴とする請求項１に記載の起伏ゲート式防波堤。
【請求項３】
前記海水タンク内に海水を取水する際の異物混入を防止するため、海水タンクの側壁上端を超えて海水タンク外の海面と海水タンク内の水面を繋ぐ逆Ｕ字型の配管と、この配管途中に設けた開閉弁及びフィルターを備えたことを特徴とする請求項１又は２に記載の起伏ゲート式防波堤。
【請求項４】
前記海水タンクの上面を密閉し、この密閉した海水タンクに開閉弁を設けた配管を介して蓄圧タンクを繋いで海水タンク内の海水に圧力を付与できるようにすると共に、前記海水タンクの上面にはタンク内の圧力を開放する排気弁を設けたことを特徴とする請求項３に記載の起伏ゲート式防波堤。
【請求項５】
潮位を検出するセンサーを更に設け、この潮位検出センサーによる潮位の検出に連動して前記送水弁の開閉制御を行うことを特徴とする請求項１〜４の何れかに記載の起伏ゲート式防波堤。
【請求項６】
前記送水弁は送水配管の、前記開閉弁は逆Ｕ字型の配管の、気中にそれぞれ設けられていることを特徴とする請求項１〜５の何れかに記載の起伏ゲート式防波堤。
【発明の詳細な説明】
【技術分野】
【０００１】
本発明は、高潮や津波対策として港口に設置される起伏ゲート式防波堤に関するものである。
【背景技術】
【０００２】
起伏ゲート式防波堤は、高潮や津波の発生が予測された際に、倒伏状態で格納されている扉体を起立させて港口を塞ぎ、高潮や津波が港内に浸入するのを防ぐものである（例えば特許文献１，２参照。）。
【０００３】
このような起伏ゲート式防波堤の場合、扉体を格納する格納部の扉体格納空間は上面が開口しているので、扉体格納空間に底質が堆積することは避けられない。この堆積した底質が倒伏状態の扉体を覆うと、扉体の起立に支障が生じる場合が起こり得る。
【０００４】
そこで、従来は、ダイバーが格納部の扉体格納空間に定期的に潜り、堆積した底質を、水中ポンプを用いて扉体格納空間から排出していた。
【０００５】
しかしながら、ダイバーが定期的に潜って扉体格納空間に堆積した底質を排出する作業は、ダイバーに大きな負担を強いることになる。また、気象条件によっては予定していた時に排出作業ができなくなる場合もあるが、このような場合、次回の排出時には予定していた堆積量よりも多くの底質を排出することになって、ダイバーの負担がより大きくなる。
【先行技術文献】
【特許文献】
【０００６】
【特許文献１】特開２００７−２１１４５７号公報
【特許文献２】特開２０１０−１３３０９５号公報
【発明の概要】
【発明が解決しようとする課題】
【０００７】
本発明が解決しようとする問題点は、ダイバーが定期的に潜って格納部の扉体格納空間に堆積した底質を排出する場合、ダイバーに大きな負担を強いるという点である。また、気象条件によって予定していた時に作業ができなくなった場合は、次回の排出時には予定していた堆積量よりも多くの底質を排出することになるので、ダイバーの負担がより大きくなるという点である。
【課題を解決するための手段】
【０００８】
本発明は、上記問題を解決するために、格納部の扉体格納空間に堆積した底質をダイバーが潜って排出する必要がないようにすることを目的としてなされたものである。
【０００９】
本発明は、
格納部に形成された扉体格納空間に格納されている倒伏状態の扉体を起立させて港口を塞ぐ起伏ゲート式防波堤であって、
満潮時、タンク内の水位が満潮時の水位と同程度となるようにタンク内に海水を取水する海水タンクと、
一端が前記海水タンク内の下方に開口し、他端が前記海水タンクの上端を経て前記扉体格納空間の床面と前記倒伏状態にある扉体の反海域側の面との間の扉体格納空間内に開口した送水配管と、
一端が前記送水配管の他端側開口と対向するように前記扉体格納空間内に開口し、他端が海域に開口した排水配管と、
を備え、
前記送水配管には、常時は閉状態で潮位が低下した時に開放する送水弁を、前記排水配管には、扉体格納空間から海域側に海水が流出する方向のみ許容する逆止弁を設けたことを最も主要な特徴としている。
【００１０】
上記の本発明では、満潮時には満潮時の水位と同程度まで海水タンク内に海水が取水される。この状態から、潮位が低下して海水タンク内と海域間で水位差が生じた時に送水弁を開放する。
【００１１】
この送水弁の開放により送水配管を介して扉体格納空間に海水タンク内の海水が送られ、送られた海水は排水配管を通って海域に排出する。そして、この海水の流れにより扉体格納空間に堆積した底質を排出する。
【００１２】
送水が完了して海水タンク内の水位が低下すれば送水弁を閉じ、潮位の上昇により海水タンク内の貯水が回復するのを待つ。干満の周期は約半日であるため、潮位差を利用した本発明の運転は１日２回実施される。
【００１３】
本発明において、倒伏状態にある扉体の反海域側の面と、送水配管の他端側開口との間に、海域から格納部の上面開口を通って扉体格納空間内に落下してくる海域中の底質は通過する一方、扉体格納空間の床面に堆積した底質が倒伏状態の扉体側に移動することは抑制する半透過部材を設けた場合は、底質の前記排出がより良好に行える。
【発明の効果】
【００１４】
本発明では、満潮時に取水した海水タンク内の海水を潮位低下時に送水配管を介して扉体格納空間に送水し、扉体格納空間に溜まった底質を、排水配管を通して海域に排出するので、ダイバーが潜らなくても扉体格納空間に堆積した底質を排出することができる。
【図面の簡単な説明】
【００１５】
【図１】本発明の起伏ゲート式防波堤の第１の例を示した概略構成図で、（ａ）満潮時、（ｂ）は潮位低下時、（ｃ）は底質の排出時を示す。
【図２】（ａ）（ｂ）は本発明の起伏ゲート式防波堤を構成する半透過部材の一例を示した図である。
【図３】（ａ）（ｂ）は海水タンク内に海水を取水する際の異物混入を防止する構成の一例を示した図である。
【図４】本発明の起伏ゲート式防波堤の第２の例を示した概略図である。
【図５】本発明の起伏ゲート式防波堤の第３の例を示した概略図である。
【発明を実施するための形態】
【００１６】
本発明は、格納部の扉体格納空間に堆積した底質をダイバーが潜って排出する必要がないようにするという目的を、満潮時に取水した海水タンク内の海水を、潮位低下時に送水配管を介して扉体格納空間に送水し、排水配管を通して海域に排出することで実現した。
【実施例】
【００１７】
以下、本発明を実施するための形態を、図１〜図５を用いて詳細に説明する。
図１は本発明の起伏ゲート式防波堤の第１の例を示した概略構成図である。
【００１８】
図１において、１は起伏ゲート式防波堤を構成する扉体であり、平時は格納部２の扉体格納空間２ａに倒伏した状態で格納されている。そして、高潮や津波の発生が予測された際には、先端側の空気室に給気して基端側の回転軸１ａを支点として先端側を起立させ、港口を塞ぐ。
【００１９】
本発明は、上記起伏ゲート式防波堤において、海水を貯留する海水タンク３と、この海水タンク３内の海水を前記扉体格納空間２ａに送水する送水配管４と、前記扉体格納空間２ａに送水された海水を海域６に排出する排水配管５を備えた構成である。
【００２０】
前記海水タンク３は、例えば満潮時の水位と同程度の高さを有した上部が開口したタンクで、満潮時に海水タンク３の上部から海水を取水して貯留するもので、例えば起伏ゲート式防波堤の機械室下部の空間に備えられる。
【００２１】
また、前記送水配管４は、一端を前記海水タンク３内の下方に開口させる一方、他端は、海水タンク３の上部開口３ａを経て扉体格納空間２ａの床面２ａａと前記倒伏状態にある扉体１の反海域側の面１ｂとの間の扉体格納空間２ａ内に開口させている。そして、送水配管４の内部に海水が留まっていない気中部分に、常時は閉状態で潮位が低下した時に開放される送水弁７を設置している。
【００２２】
また、前記排水配管５は、前記送水配管４の他端側開口４ｂと対向するように、一端を扉体格納空間２ａ内に開口する一方、他端は海域６に開口させている。そして、その途中に、一端側開口５ａから他端側開口５ｂに向かう方向にのみ海水の移動を許容する逆止弁８を設けている。
【００２３】
これら送水配管４及び排水配管５は、扉体格納空間２ａの床面２ａａに堆積した底質９を効率良く海域６に排出するために、扉体１の幅方向に所定の間隔を存して複数設置している。
【００２４】
１０は、海域６から扉体格納空間２ａの内部に落下してくる底質９を通過させるが、扉体格納空間２ａの床面２ａａに堆積した底質９が倒伏状態の扉体１側に移動することを抑制する半透過部材である。この半透過部材１０は、倒伏状態の扉体１の反海域側の面１ｂと、前記送水配管４の他端側開口４ｂ（前記排水配管５の一端側開口５ａ）との間に配置されている。
【００２５】
前記半透過部材１０は、上記作用を奏することができるものであれば、その構成は問わない。例えば図２（ａ）では山形鋼１０ａを複数個、図２（ｂ）では横断面が三角形状の各材１０ｂを複数個、それぞれの山部を上方向に向け、それぞれの山裾間が適宜の間隔ｄとなるように配置したものを示している。
【００２６】
上記本発明では、満潮時には満潮時の水位と同程度まで海水タンク３に海水が取水されて貯留される（図１（ａ））。この状態では、送水弁７は閉じていることから、潮位が低下すれば、海水タンク３内と海域６との間で水位差が生じる（図１（ｂ））。
【００２７】
従って、例えば潮位検出センサーによって潮位を検出し、前記水位差が予め規定した水位差になった時に、図１（ｃ）のように、送水弁７を開放するように制御すれば、送水配管４を介して扉体格納空間２ａに海水タンク３内の海水が送り込まれる。送り込まれた海水は扉体格納空間２ａの床面２ａａ上に堆積した底質９を押し流す。押し流された底質９は、半透過部材１０の作用によって排水配管５の一端側開口５ａに流れ込んで他端側開口５ｂから海域６に排出される。
【００２８】
送水が完了して海水タンク３の水位が低下すれば送水弁７を閉じ、潮位の上昇により海水タンク３内の貯水が回復するのを待つ。干満の周期は約半日であるため、潮位差を利用した本発明の運転は１日２回実施される。
【００２９】
すなわち、本発明では、ダイバーが潜らなくても、干満による潮位差によって扉体格納空間２ａに堆積した底質９を排出することができる。なお、排水配管５に設けた逆止弁８の作用によって排水配管５を介して扉体格納空間２ａ内に海水が流れ込むことはない。
【００３０】
本発明は、前記の例に限るものではなく、各請求項に記載の技術的思想の範疇であれば、適宜実施の形態を変更しても良いことは言うまでもない。
【００３１】
例えば、海水の取水時に海水タンク３に異物が入るのを防止するため、図３（ａ）に示すように、海水タンク３の側壁上端に網状の異物捕捉材１１を設置しても良い。
【００３２】
或いは、図３（ｂ）に示すように、海水タンク３の側壁上端からその両端部を海水タンク３の内側及び外側に降ろした逆Ｕ字型の配管１２の途中に、開閉弁１３と取り替えが可能なフィルター１４を備えたものでも良い。この逆Ｕ字型の配管１２による取水は、サイフォンの原理によるものであるため、その両端部は海面から出ないようにしておくことは言うまでもない。なお、前記開閉弁１３は、前記送水弁７と同様、逆Ｕ字型の配管１２の内部に海水が留まっていない気中部分に設ける。
【００３３】
この図３（ｂ）に示した構造の場合、図４に示すように、上面を密閉した海水タンク３に配管１５を介して蓄圧タンク１６を繋げば、配管１５に設けた開閉弁１７を開けて蓄圧タンク１５の圧力を作用させれば、海水タンク３内の海水を送水することができる。なお、この場合、海水タンク３の上面を密閉するので、海水を取水するためには、海水タンク３の上面にタンク内の圧力を開放する排気弁１８を設けておくことが必要である。
【００３４】
また、排水配管５の途中に設ける逆止弁８の設置位置は特に限定されるものではないが、メンテナンスの容易性を考慮すれば、図５に示すように、扉体１の格納部２からダイバーがアクセスできる位置に設置することが望ましい。
【００３５】
上記実施例では、倒伏状態の扉体１の反海域側の面１ｂと、前記送水配管４の他端側開口４ｂ（排水配管５の一端側開口５ａ）との間に半透過部材１０を配置しているが、この半透過部材１０は必須の構成要素ではない。
【符号の説明】
【００３６】
１    扉体
１ｂ    反海域側の面
２    格納部
２ａ    扉体格納空間
２ａａ    床面
３    海水タンク
４    送水配管
４ａ    一端側開口
４ｂ    他端側開口
５    排水配管
５ａ    一端側開口
５ｂ    他端側開口
６    海域
７    送水弁
８    逆止弁
９    底質
１０    半透過部材
１１    異物捕捉材
１２    逆Ｕ字型の配管
１３    開閉弁
１４    フィルター
１５    配管
１６    蓄圧タンク
１７    開閉弁
１８    排気弁
【図１】
2014173249.tif 000003
【図２】
2014173249.tif 000004
【図３】
2014173249.tif 000005
【図４】
2014173249.tif 000006
【図５】
2014173249.tif 000007